(57)【要約】【課題】容易に設置することが可能であり、防犯性能を向上可能な異常検出装置およびこれを備えた窓の提供。【解決手段】粘着層を有し該粘着層にてガラス板２１に貼着可能なシート状太陽電池３０と、ガラス板２１の異常を検出する検出装置本体３１とを有し、検出装置本体３１は、シート状太陽電池３０が発電した電力で作動する。【選択図】図１
2012159876.tif 000002
【特許請求の範囲】
【請求項１】
粘着層を有し該粘着層にてガラス板に貼着可能なシート状太陽電池と、
前記ガラス板の異常を検出する異常検出手段とを有し、
該異常検出手段は、前記シート状太陽電池が発電した電力で作動することを特徴とする異常検出装置。
【請求項２】
前記異常検出手段は、前記シート状太陽電池に一体に設けられていることを特徴とする請求項１記載の異常検出装置。
【請求項３】
前記シート状太陽電池は、光の透過率が５０％〜９９％の範囲であることを特徴とする請求項１または２記載の異常検出装置。
【請求項４】
前記シート状太陽電池には、該シート状太陽電池が発電した電力を蓄電する蓄電池が一体に設けられていることを特徴とする請求項１乃至３のいずれか一項記載の異常検出装置。
【請求項５】
前記シート状太陽電池には、該シート状太陽電池が発電した電力で作動して前記異常検出手段の異常検出時に異常を外部に伝達する伝達手段が一体に設けられていることを特徴とする請求項１乃至４のいずれか一項記載の異常検出装置。
【請求項６】
前記シート状太陽電池は、前記ガラス板への貼着状態での厚さが５ｍｍ以下であることを特徴とする請求項１乃至５のいずれか一項記載の異常検出装置。
【請求項７】
前記異常検出手段は、前記シート状太陽電池の角部に設けられていることを特徴とする請求項１乃至６のいずれか一項記載の異常検出装置。
【請求項８】
請求項１乃至７のいずれか一項に記載の異常検出装置をガラス板に備えた窓。
【発明の詳細な説明】
【技術分野】
【０００１】
本発明は、異常検出装置およびこれを備えた窓に関する。
【背景技術】
【０００２】
ガラス窓のガラス板が破られた場合に、これを検出して警報動作する異常検出装置がある。この種の異常検出装置として、例えば、ガラス板の表面に導電性薄膜によって所定の形状の導電性パターンを形成するとともに、この導電性パターンの切断部位に検出器を接続しておき、導電性パターンの断線を検知すると、検出器が無線で中継器に異常検出信号を送信し、この中継器からさらに集中監視ユニットに異常検出信号を送信するものがある（例えば、特許文献１参照）。
【先行技術文献】
【特許文献】
【０００３】
【特許文献１】特開２００７−３５００９号公報
【発明の概要】
【発明が解決しようとする課題】
【０００４】
上記の異常検出装置では、ガラス板に導電性パターンを形成しなければならないため、煩雑な設置作業が必要になってしまう。また、異常を検出することはできるが、ガラス板の破損自体は容易なため、防犯性能が十分とは言えない。
【０００５】
したがって、本発明は、容易に設置することが可能であり、防犯性能を向上可能な異常検出装置およびこれを備えた窓の提供を目的とする。
【課題を解決するための手段】
【０００６】
上記目的を達成するために、請求項１に係る発明は、粘着層を有し該粘着層にてガラス板に貼着可能なシート状太陽電池と、前記ガラス板の異常を検出する異常検出手段とを有し、該異常検出手段は、前記シート状太陽電池が発電した電力で作動することを特徴としている。
【０００７】
請求項２に係る発明は、請求項１に係る発明において、前記異常検出手段は、前記シート状太陽電池に一体に設けられていることを特徴としている。
【０００８】
請求項３に係る発明は、請求項１または２に係る発明において、前記シート状太陽電池は、光の透過率が５０％〜９９％の範囲であることを特徴としている。
【０００９】
請求項４に係る発明は、請求項１乃至３のいずれか一項に係る発明において、前記シート状太陽電池には、該シート状太陽電池が発電した電力を蓄電する蓄電池が一体に設けられていることを特徴としている。
【００１０】
請求項５に係る発明は、請求項１乃至４のいずれか一項に係る発明において、前記シート状太陽電池には、該シート状太陽電池が発電した電力で作動して前記異常検出手段の異常検出時に異常を外部に伝達する伝達手段が一体に設けられていることを特徴としている。
【００１１】
請求項６に係る発明は、請求項１乃至５のいずれか一項に係る発明において、前記シート状太陽電池は、前記ガラス板への貼着状態での厚さが５ｍｍ以下であることを特徴としている。
【００１２】
請求項７に係る発明は、請求項１乃至６のいずれか一項に係る発明において、前記異常検出手段は、前記シート状太陽電池の角部に設けられていることを特徴としている。
【００１３】
請求項８に係る発明は、請求項１乃至７のいずれか一項に記載の異常検出装置をガラス板に備えている。
【発明の効果】
【００１４】
請求項１に係る発明によれば、シート状太陽電池が粘着層にてガラス板に貼着されることになり、異常検出手段はこのシート状太陽電池が発電した電力で作動するものとなっているため、容易に設置することが可能となる。また、シート状太陽電池自体がガラス板の破損を防止する防犯フィルムとして機能可能であるため、防犯性能が高くなる。
【００１５】
請求項２に係る発明によれば、シート状太陽電池が粘着層にてガラス板に貼着されると、シート状太陽電池と一体に設けられた異常検出手段も一緒にガラス板に設置されることになるため、設置がさらに容易となる。
【００１６】
請求項３に係る発明によれば、シート状太陽電池の光の透過率が５０％〜９９％の範囲であるため、ガラス板の光の透過率の低下を抑制しつつ適正な発電効率を得ることができる。よって、美観を損なうことがなく、また屋外からの採光を妨げることもない。
【００１７】
請求項４に係る発明によれば、シート状太陽電池に、これが発電した電力を蓄電する蓄電池が設けられているため、異常検出手段をシート状太陽電池が発電した電力のみで作動する構成にできる。よって、乾電池を用いる場合に必要な電池交換を不要とすることが可能となる。また、シート状太陽電池が粘着層にてガラス板に貼着されると、シート状太陽電池と一体に設けられた蓄電池も一緒にガラス板に設置されることになるため、設置がさらに容易となる。
【００１８】
請求項５に係る発明によれば、シート状太陽電池が粘着層にてガラス板に貼着されると、シート状太陽電池と一体に設けられた異常を外部に伝達する伝達手段も一緒にガラス板に設置されることになるため、設置がさらに容易となる。
【００１９】
請求項６に係る発明によれば、シート状太陽電池は、ガラス板への貼着状態での厚さが５ｍｍ以下であるため、互いに重なるようにスライドして開くガラス窓のガラス板に貼着してもその開閉に干渉することがない。
【００２０】
請求項７に係る発明によれば、異常検出手段がシート状太陽電池の角部に設けられているため、外観的な違和感を低減できる。
【００２１】
請求項８に係る発明によれば、異常検出装置は、シート状太陽電池が粘着層にてガラス板に貼着されることになり、異常検出手段がこのシート状太陽電池が発電した電力で作動するものとなっているため、容易に設置することが可能となる。また、異常検出装置のシート状太陽電池自体がガラス板の破損を防止する防犯フィルムとして機能可能であるため、防犯性能が高くなる。
【図面の簡単な説明】
【００２２】
【図１】本発明の一実施形態に係る異常検出装置およびこれを備えた窓を示す室内側から見た正面図である。
【図２】本発明の一実施形態に係る異常検出装置を示すブロック図である。
【図３】本発明の一実施形態に係る異常検出装置およびこれを備えた窓を示す部分断面図である。
【発明を実施するための形態】
【００２３】
本発明の一実施形態に係る異常検出装置およびこれを備えた窓を図面を参照して以下に説明する。図１に示すように、異常検出装置１１は、一体的にモジュール化されており、建造物の窓１２に設置されるようになっている。
【００２４】
建造物には、側壁１３に横長矩形の開口１４が形成されており、この開口１４に窓１２が設けられている。窓１２は、側壁１３の開口１４の内側に固定されるサッシからなる固定枠１６と、固定枠１６の内側の開口１７との間に開閉可能な一対のガラス窓１８，１９とを有することで構成されている。
【００２５】
一対のガラス窓１８，１９は、室内側と室外側とにずれて固定枠１６に取り付けられており、互いに重なるようにスライドして開く。一対のガラス窓１８，１９は、それぞれ、固定枠１６内に左右方向にスライド可能に嵌め込まれた矩形状の可動枠２０と、可動枠２０内に固定されたガラス板２１とを有している。
【００２６】
一対のガラス窓１８，１９には、これらが固定枠１６内の開口１７を閉塞した窓閉状態にあるときに係合可能となるロック機構２５が設けられている。なお、この窓閉状態にあるとき、室内側のガラス窓１８は、室内側から見て右側に配置されることになり、室外側のガラス窓１９は、室内側から見て左側に配置されることになる。ガラス窓１８，１９のそれぞれのガラス板２１には、図示は略すが、補強および侵入防止のための針金が格子状に埋設されている。
【００２７】
ロック機構２５は、室内側のガラス窓１８の可動枠２０の左右方向における左側に回転可能に設けられたレバー２６と、室外側のガラス窓１９の可動枠２０の左右方向における右側に固定されたフック部２７とを有している。レバー２６は、ガラス窓１８の可動枠２０の上下方向中間位置に設けられており、フック部２７もガラス窓１９の可動枠２０の上下方向中間位置に設けられている。
【００２８】
ロック機構２５は、上記した窓閉状態でレバー２６が一方向に回転させられることでフック部２７に係合させられると、一対のガラス窓１８，１９の固定枠１６に対する摺動を規制することになり、窓閉状態を維持する。他方、ロック機構２５は、レバー２６が逆方向に回転させられることでフック部２７に対する係合が解除されると、一対のガラス窓１８，１９の固定枠１６に対する個別の摺動を許容することになる。
【００２９】
異常検出装置１１は、矩形のシート状太陽電池３０と、シート状太陽電池３０に一体に設けられた検出装置本体３１とを有している。検出装置本体３１は、図２に示すように、振動を検出する振動センサ（異常検出手段）３２と、振動センサ３２が検出した振動でガラス板２１の異常の有無を検出する制御部（異常検出手段）３３と、異常検出時に警報を発生することで異常を外部に伝達する警報ブザー（伝達手段）３４と、異常検出時に異常検出信号を無線で出力することで異常を外部に伝達する無線発信部（伝達手段）３５と、シート状太陽電池３０が発電した電力を蓄電する蓄電池３６とを有している。
【００３０】
制御部３３は、シート状太陽電池３０および蓄電池３６から、振動センサ３２、警報ブザー３４および無線発信部３５への給電と、シート状太陽電池３０から蓄電池３６への充電とを制御するものである。ここで、制御部３３は、振動センサ３２を常時監視しており、振動センサ３２が検出した振動が所定レベル以下であると異常が発生していないと判定し、振動センサ３２が検出した振動が所定レベルを超えると異常が発生したと判定する。
【００３１】
蓄電池３６は、シート状太陽電池３０が発電した電力のみを蓄電することになり、検出装置本体３１は、全体として、この蓄電池３６に充電された電力を含んで、シート状太陽電池３０が発電した電力のみで作動する。つまり、検出装置本体３１を構成する、振動センサ３２、制御部３３、警報ブザー３４および無線発信部３５は、シート状太陽電池３０が発電した電力のみで作動する。その結果、この異常検出装置１１は、その全体が、商用電源等の外部電源の供給を受けない自己完結型となっている。
【００３２】
なお、異常検出装置１１の無線発信部３５から無線で出力された信号は、別途設けられる図示略の無線受信機および電話回線等を介して警備会社に送信されることになる。
【００３３】
薄型のシート状太陽電池３０は、全体的に透明または半透明であり、図３に示すように、シート状太陽電池本体３８と、シート状太陽電池本体３８の一面に形成された粘着層３９とを有していて、粘着層３９にてガラス板２１に貼着されるようになっている。粘着層３９としては、基材の両面に粘着層が形成されていて一方の粘着層でシート状太陽電池本体３８に貼着され他方の粘着層でガラス板２１に貼着される両面テープタイプのものや、シート状太陽電池本体３８に直接塗布されることで形成されるもの等が用いられる。なお、粘着層３９に基材を備える場合、基材にはＰＥＴ（ポリエチレンテレフタレート）フィルムやＰＥＮ（ポリエチレンナフタレート）フィルム等を用いるのが好ましい。
【００３４】
室内側のガラス窓１８においては、シート状太陽電池３０が、ガラス板２１のレバー２６の近傍位置に貼着されることになる。具体的には、ガラス窓１８のガラス板２１においてレバー２６の近傍である左側の上下方向の中間範囲に貼着されることになる。しかも、その際に、検出装置本体３１が、シート状太陽電池３０の右側上部の角部に配置される。
【００３５】
他方、室外側のガラス窓１９においては、シート状太陽電池３０が、ガラス板２１のフック部２７の近傍位置に貼着されることになる。具体的には、ガラス窓１９のガラス板２１においてフック部２７の近傍である右側の上下方向の中間範囲に貼着されることになる。しかも、その際に、検出装置本体３１が、シート状太陽電池３０の左側上部の角部に配置される。よって、一対のガラス窓１８，１９のそれぞれの検出装置本体３１は、窓閉状態で両側のシート状太陽電池３０の相反側の上部の角部に配置されることになる。
【００３６】
ここで、シート状太陽電池３０は、光の透過率が５０％〜９９％の範囲となっており、ガラス板２１への貼着状態での厚さが５ｍｍ以下となっている。なお、シート状太陽電池３０の光の透過率は、５５％〜９５％の範囲が好ましく、上限については、８０％とするのがより好ましく、７０％とするのがさらに好ましい。また、シート状太陽電池本体３８には、室内光等の低照度域でも発電する機能がある色素増感太陽電池（ＤＳＣ）が用いられている。勿論、設置条件等が整えば、有機薄膜太陽電池やシリコン系太陽電池等、すべての太陽電池を使用可能である。シート状太陽電池本体３８は、その基材に、防犯フィルムとして機能するのに十分な強度の材料が用いられており、例えばＰＥＴ（ポリエチレンテレフタレート）等が用いられている。
【００３７】
このような異常検出装置１１は、言い換えれば、センシング機能および防犯フィルム機能をシート状太陽電池３０に付けたものとなっている。
【００３８】
このような異常検出装置１１が、一対のガラス窓１８，１９のそれぞれのガラス板２１に上記のように貼着されることになる。すると、侵入者によってガラス窓１８，１９のいずれかに外力が加えられると、ガラス板２１に所定レベルを超える振動が生じることになり、その結果、この振動をいずれかの異常検出装置１１の振動センサ３２が検出することになる。すると、この異常検出装置１１において、制御部３３が、異常が発生したと判定して、警報ブザー３４で警報を鳴らすとともに、無線発信部３５で異常検出信号を出力させる。すると、図示略の無線受信部がこの異常検出信号を受信して警備会社に送信することになる。このようにして、その場で発生する警報音と警備会社への通報とで防犯を図ることになる。
【００３９】
本実施形態に係る異常検出装置１１およびこれが用いられた窓１２によれば、シート状太陽電池３０が粘着層３９にてガラス板２１に貼着されることになり、振動センサ３２、制御部３３、警報ブザー３４および無線発信部３５からなる検出装置本体３１は、このシート状太陽電池３０が発電した電力で作動するものとなっているため、異常検出装置１１を容易に設置することが可能となる。また、シート状太陽電池３０自体がガラス板２１の破損を防止する防犯フィルムとして機能するため、防犯性能が高くなる。
【００４０】
また、シート状太陽電池３０が粘着層３９にてガラス板２１に貼着されると、シート状太陽電池３０と一体に設けられた振動センサ３２および制御部３３も一緒にガラス板２１に設置されることになるため、設置がさらに容易となる。
【００４１】
また、シート状太陽電池３０の光の透過率が５０％〜９９％の範囲であるため、ガラス板２１の光の透過率の低下を抑制しつつ適正な発電効率を得ることができる。よって、美観を損なうことがなく、また屋外からの採光を妨げることもない。なお、上述したように、シート状太陽電池３０の光の透過率は、５５％〜９５％の範囲が好ましく、上限については、８０％とするのがより好ましく、７０％とするのがさらに好ましい。
【００４２】
また、シート状太陽電池３０に発電した電力を蓄電する蓄電池３６が設けられているため、振動センサ３２、制御部３３、警報ブザー３４および無線発信部３５をシート状太陽電池３０が発電した電力のみで作動する構成にできる。よって、乾電池を用いる場合に必要な電池交換を不要とすることが可能となる。また、シート状太陽電池３０が粘着層３９にてガラス板２１に貼着されると、シート状太陽電池３０と一体に設けられた蓄電池３６も一緒にガラス板２１に設置されることになるため、設置がさらに容易となる。
【００４３】
また、シート状太陽電池３０が粘着層３９にてガラス板２１に貼着されると、シート状太陽電池３０と一体に設けられた異常を外部に伝達する警報ブザー３４および無線発信部３５も一緒にガラス板２１に設置されることになるため、設置がさらに容易となる。
【００４４】
また、シート状太陽電池３０は、ガラス板２１への貼着状態での厚さが５ｍｍ以下であるため、相互に重なるようにスライドして開閉するガラス窓１８，１９のガラス板２１に貼着してもその開閉に干渉することがない。
【００４５】
また、振動センサ３２、制御部３３、警報ブザー３４および無線発信部３５からなる検出装置本体３１がシート状太陽電池３０の角部に設けられているため、外観的な違和感を低減できる。
【符号の説明】
【００４６】
１１  異常検出装置
１２  窓
２１  ガラス板
３０  シート状太陽電池
３２  振動センサ（異常検出手段）
３３  制御部（異常検出手段）
３４  警報ブザー（伝達手段）
３５  無線発信部（伝達手段）
３６  蓄電池
３９  粘着層
【図１】
2012159876.tif 000003
【図２】
2012159876.tif 000004
【図３】
2012159876.tif 000005